(57)【要約】  分散スロープを緩和するシステム及び方法は、分散スロープによって生じる光通信システムの性能への影響を低減できる。このシステム及び方法は、光信号を受信し、この光信号を逆多重化し、逆多重化された光信号を光学的にフィルタリングする。光学フィルタは、逆多重化された光信号に関して広く且つ元の光信号に関して狭い帯域幅を有し得る。
2008526171.tif 000002
【特許請求の範囲】
【請求項１】
元の光信号を逆多重化して複数の逆多重化されたコンポーネント光信号にできる少なくとも１つの時分割光デマルチプレクサと、
前記コンポーネント光信号の１つを光学的にフィルタリングでき、前記コンポーネント光信号の帯域幅に関して広く且つ前記元の光信号の帯域幅に関して狭い帯域幅を有する少なくとも１つの光学フィルタと
を備えることを特徴とする装置。
【請求項２】
前記フィルタリングされたコンポーネント光信号を処理するよう構成された受信器を更に備えることを特徴とする請求項１記載の装置。
【請求項３】
前記光学フィルタが光学バンドパスフィルタであることを特徴とする請求項１記載の装置。
【請求項４】
前記光学フィルタの前記帯域幅が、前記逆多重化されたコンポーネント光信号のクロック周波数の２倍より大きく且つ前記元の光信号のクロック周波数の２倍より小さいことを特徴とする請求項１記載の装置。
【請求項５】
前記元の光信号が約４０ギガビット／秒の帯域幅を有し、前記コンポーネント光信号が約１０ギガビット／秒の帯域幅を有することを特徴とする請求項１記載の装置。
【請求項６】
前記光学フィルタが約２０〜８０ＧＨｚの範囲の帯域幅を有することを特徴とする請求項５記載の装置。
【請求項７】
前記光学フィルタが約２０ＧＨｚの帯域幅を有することを特徴とする請求項５記載の装置。
【請求項８】
受信した光信号を逆多重化して複数の逆多重化されたコンポーネント光信号にできる少なくとも１つの時分割光デマルチプレクサと、
前記コンポーネント光信号の１つを光学的にフィルタリングでき、前記コンポーネント光信号の帯域幅に関して広く且つ前記受信した光信号の帯域幅に関して狭い帯域幅を有する複数の光学フィルタと、
前記フィルタリングされたコンポーネント光信号を処理してデータストリームを生成するよう構成された複数の受信器と
を備えることを特徴とする受信端末。
【請求項９】
前記光学フィルタが光学バンドパスフィルタを含むことを特徴とする請求項８記載の受信端末。
【請求項１０】
前記光学フィルタの前記帯域幅が、前記逆多重化されたコンポーネント光信号のクロック周波数の２倍より大きく且つ前記受信した光信号のクロック周波数の２倍より小さいことを特徴とする請求項８記載の受信端末。
【請求項１１】
前記受信した光信号が約４０ギガビット／秒の帯域幅を有し、前記コンポーネント光信号が約１０ギガビット／秒の帯域幅を有することを特徴とする請求項８記載の受信端末。
【請求項１２】
各前記光学フィルタが約２０〜８０ＧＨｚの範囲の帯域幅を有することを特徴とする請求項１１記載の受信端末。
【請求項１３】
各前記光学フィルタが約２０ＧＨｚの帯域幅を有することを特徴とする請求項１１記載の受信端末。
【請求項１４】
光信号を受信する方法であって、
光信号を受信する工程と、
前記光信号を時分割逆多重化して複数のコンポーネント光信号にする工程と、
前記コンポーネント光信号に関して広く且つ前記受信した光信号に関して狭いフィルタ帯域幅を用いて前記コンポーネント光信号をフィルタリングする工程と
を有してなることを特徴とする方法。
【請求項１５】
前記逆多重化されフィルタリングされたコンポーネント光信号を処理してデータストリームを生成する工程を更に備えることを特徴とする請求項１４記載の方法。
【請求項１６】
前記光学フィルタの前記帯域幅が、前記逆多重化されたコンポーネント光信号のクロック周波数の２倍より大きく且つ前記受信した光信号のクロック周波数の２倍より小さいことを特徴とする請求項１４記載の方法。
【請求項１７】
前記受信した光信号が約４０ギガビット／秒の帯域幅を有し、各前記コンポーネント光信号が約１０ギガビット／秒の帯域幅を有することを特徴とする請求項１４記載の方法。
【請求項１８】
各前記光学フィルタが約２０〜８０ＧＨｚの範囲の帯域幅を有することを特徴とする請求項１７記載の方法。
【請求項１９】
各前記フィルタが約２０ＧＨｚの帯域幅を有することを特徴とする請求項１７記載の方法。
【請求項２０】
少なくとも１つの光信号を送信できる送信端末と、
前記送信端末からの前記光信号を伝搬させることができる光チャネルと、
前記光チャネルによって伝搬された前記光信号を受信できる受信端末と
を備えた光通信システムであって、
前記受信端末が、
前記受信した光信号を逆多重化して複数の逆多重化されたコンポーネント光信号にできる少なくとも１つの時分割光デマルチプレクサと、
前記コンポーネント光信号の１つを光学的にフィルタリングでき、前記コンポーネント光信号の帯域幅に関して広く且つ前記受信した光信号の帯域幅に関して狭い帯域幅を有する複数の光学フィルタと、
前記フィルタリングされたコンポーネント光信号を処理してデータストリームを生成するよう構成された複数の受信器と
を備えることを特徴とする光通信システム。
【請求項２１】
前記光学フィルタの前記帯域幅が、前記逆多重化されたコンポーネント光信号のクロック周波数の２倍より大きく且つ前記受信した光信号のクロック周波数の２倍より小さいことを特徴とする請求項２０記載のシステム。
【請求項２２】
前記受信した光信号が１：４の比率で逆多重化されることを特徴とする請求項２０記載のシステム。
【請求項２３】
前記受信した光信号が約４０ギガビット／秒の帯域幅を有し、前記複数のコンポーネント光信号の各々が約１０ギガビット／秒の帯域幅を有することを特徴とする請求項２０記載のシステム。
【請求項２４】
各前記光学フィルタが約２０〜８０ＧＨｚの範囲の帯域幅を有することを特徴とする請求項２３記載のシステム。
【請求項２５】
各前記複数の光学フィルタが約２０ＧＨｚの帯域幅を有することを特徴とする請求項２３記載のシステム。
【発明の詳細な説明】
【技術分野】
【０００１】
本発明は、一般的に光通信に関し、より具体的には、逆多重化及びフィルタリングによる光通信システムの分散スロープの緩和に関する。
【背景技術】
【０００２】
「海底」又は「海中」システム等といった長距離光通信システムの容量が増加している。光通信システムの伝送容量を最大化するために、波長分割多重（ＷＤＭ）として知られる処理を用いて、単一の光ファイバが複数の光チャネル（例えば６４以上の信号）を搬送し得る。システム容量を増加させるもう１つの技術は時分割多重（ＴＤＭ）であり、光チャネルのデータ伝送速度が（例えば４０ギガビット／秒（Ｇｂ／ｓ）まで）増加される。時分割多重は、同じ容量に対して必要な光学コンポーネントの数がより少ないことから、システムコストを低減するために用いられ得る。
【０００３】
しかし、データ伝送速度が増加されると、色分散や分散スロープ等の光学的な影響によって光チャネルの性能が制限され得る。１つの光ファイバを伝搬する光に色分散が蓄積されると、その光ファイバ内の光に周波数又は波長に従った遅延が生じる。この遅延により光パルスの拡散が生じ、その結果、受信信号にビット誤りが生じ得る。蓄積される分散の具体的な量は、光の波長によって異なる。分散が光の波長の関数として変化する程度は、しばしば分散スロープと呼ばれる。分散を低減して分散スロープを管理するために、様々な分散管理技術が用いられている。
【０００４】
１チャネル当たりのデータ伝送速度が例えば４０Ｇｂ／ｓである現在の高ビットレートシステムでは、４０Ｇｂ／ｓの信号は、その大きな分光帯域幅に起因して、分散スロープの影響をかなり受ける。一般的に、ビットレートが増加するにつれ、ビット周期は減少し、信号分光帯域幅が増加するので、分散スロープの補償がより大きな問題となる。たとえ、既存の分散管理技術の結果、搬送波周波数における分散は消え得るとしても、分散スロープにより、搬送波周波数から逸脱した分光成分が、受信器の決定回路にそれぞれ異なる時間に到達することがある。
【発明の開示】
【発明が解決しようとする課題】
【０００５】
従って、現在のシステム設計は、コスト及び性能を最適化するために、ＴＤＭ技術及びＷＤＭ技術を混合して用い得る。当該技術分野における、１チャネル当たりのより高いデータ伝送速度を可能にするどのような進歩も、システムコストを低減する可能性を有する。従って、特に高データ伝送速度チャネルにおける、分散スロープによって生じる性能への悪影響を低減できるシステム及び方法が必要である。
【課題を解決するための手段】
【０００６】
本発明の１つの態様は、元の光信号を逆多重化して複数の逆多重化されたコンポーネント光信号にできる少なくとも１つの時分割光デマルチプレクサと、コンポーネント光信号を光学的にフィルタリングでき、コンポーネント光信号の帯域幅に関して広く且つ元の光信号の帯域幅に関して狭い帯域幅を有する少なくとも１つの光学フィルタとを備えることを特徴とする装置である。
【０００７】
本発明の別の態様は、受信した光信号を逆多重化して複数の逆多重化されたコンポーネント光信号にできる少なくとも１つの時分割光デマルチプレクサと、コンポーネント光信号の１つを光学的にフィルタリングでき、コンポーネント光信号の帯域幅に関して広く且つ受信した光信号の帯域幅に関して狭い帯域幅を有する複数の光学フィルタと、フィルタリングされたコンポーネント光信号を処理してデータストリームを生成するよう構成された複数の受信器とを備えることを特徴とする受信端末である。
【０００８】
本発明の更に別の態様は、光信号を受信する方法であって、光信号を受信する工程と、光信号を時分割逆多重化して複数のコンポーネント光信号にする工程と、コンポーネント光信号に関して広く且つ受信した光信号に関して狭いフィルタ帯域幅を用いてコンポーネント光信号をフィルタリングする工程とを有してなることを特徴とする方法である。
【０００９】
本発明の更に別の態様は、少なくとも１つの光信号を送信できる送信端末と、送信端末からの光信号を伝搬させることができる光チャネルと、光チャネルによって伝搬された光信号を受信できる受信端末とを備え、受信端末が、受信した光信号を逆多重化して複数の逆多重化されたコンポーネント光信号にできる少なくとも１つの時分割光デマルチプレクサと、コンポーネント光信号の１つを光学的にフィルタリングでき、コンポーネント光信号の帯域幅に関して広く且つ受信した光信号の帯域幅に関して狭い帯域幅を有する複数の光学フィルタと、フィルタリングされたコンポーネント光信号を処理してデータストリームを生成するよう構成された複数の受信器とを備えることを特徴とする光通信システムである。
【発明を実施するための最良の形態】
【００１０】
以下、添付の図面と共に、詳細な説明を参照する。図面中、同一参照番号は同一要素を表わす。
【００１１】
図１には、本発明の一実施形態による、分散スロープの緩和を提供できる光通信システム１００が示されている。通信システム１００は、送信端末１０２から受信端末１０４に光信号１０６を伝送するよう動作する。概括的に、分散スロープを緩和するシステム及び方法は、受信端末１０４で光信号１０６を逆多重化してから光学的にフィルタリングすることにより、分散スロープによって生じる性能への影響を低減できる。
【００１２】
説明を容易にするために、システム１００は非常に簡略化されたポイント・ツー・ポイントシステムとして示されていることが当業者には認識されよう。例えば、送信端末１０２及び受信端末１０４が共にトランシーバとして構成され、各々が送信及び受信の両方の機能を実行するよう構成されてもよいことは勿論である。しかし、説明を容易にするために、本願明細書においては、これらの端末は、送信機能又は受信機能のみに関して図示及び説明される。本発明によるシステム及び方法は、広範なネットワークコンポーネント及び構成に組み込まれ得ることを理解されたい。本願明細書に示される例示的な実施形態は、説明のために提供されるものであり、本発明を限定するものではない。
【００１３】
分散スロープを緩和するシステム及び方法は、長距離ＷＤＭシステム及びＤＷＤＭシステム、並びに単一のチャネル及び短距離システムを含むがこれらに限定されない、当業者に周知の光通信システムで実施され得る。このシステム及び方法は、例えば、光信号１０６が４０Ｇｂ／ｓの信号である１チャネル当たりの高いデータ伝送速度が可能な光通信システム１００において特に利点を有する。しかし、本願明細書に記載されるシステム及び方法は、他のデータ伝送速度を有する通信システムで実施されてもよいことが当業者には認識されよう。受信された光信号１０６は、多重化された信号であってもよく、又は高帯域幅クリアチャネルであってもよい。分散スロープを緩和するシステム及び方法は、光信号が分散スロープによって影響され得る分光成分を有する任意のシステムにおいて有効であり得る。
【００１４】
図示されている実施形態では、受信端末１０４は、時分割光デマルチプレクサ１１２、光学フィルタ１１４ａ〜１１４ｄ、及び受信器１１６ａ〜１１６ｄを含む。説明を容易にするために、受信端末１０４は非常に簡略化された形態で示されている。受信端末１０４は、光信号を受信して処理するための他の電気的及び／又は光学的コンポーネントを含み得ることが当業者には認識されよう。
【００１５】
受信端末１０４は、例えば４０ギガビット／秒（Ｇｂ／ｓ）のデータ伝送速度を有する光信号１０６を受信する。光デマルチプレクサ１１２は、光信号１０６を逆多重化して、それぞれが例えば１０Ｇｂ／ｓのデータ伝送速度を有する逆多重化されたコンポーネント光信号１２０ａ〜１２０ｄにする。各光学フィルタ１１４ａ〜１１４ｄは、逆多重化された光信号１２０ａ〜１２０ｄのそれぞれを光学的にフィルタリングする。光受信器１１６ａ〜１１６ｄは、逆多重化されフィルタリングされた光信号１２２ａ〜１２２ｄのそれぞれを受信して処理し、出力データ信号１２４ａ〜１２４ｄを生成する。光デマルチプレクサ１１２は、当業者に公知の任意の適切な時分割光デマルチプレクサであってよい。例示的な実施形態は、４０Ｇｂ／ｓの光信号を逆多重化して４つの逆多重化された１０Ｇｂ／ｓ光信号にするものであるが、他のデータ伝送速度及び逆多重化率も可能であり、これは本願明細書に記載されるシステム及び方法を限定するものではないことが当業者には認識されよう。
【００１６】
例示的な実施形態では、光信号１０６は、単一の光波長チャネルを表す。説明を容易にするために、光通信システム１００は、光信号１０６のみを送受信するものとして示されている。光信号１０６は、更に、ＷＤＭ技術や高密度ＷＤＭ技術等の当業者に周知の他の技術を用いて、他の波長の他の光信号と共に波長分割多重化されてもよい。この場合、光通信システム１００は複数の光信号１０６を送受信し得るものとなり、受信端末１０４は、各光信号１０６の分散スロープを緩和するための追加のコンポーネントを含み得る。
【００１７】
各光学フィルタ１１４ａ〜１１４ｄは、個々の逆多重化された光信号１２０ａ〜１２０ｄのスペクトル幅又は帯域幅に関して広く、且つ、元の光信号１０６のスペクトル幅又は帯域幅に関して狭い帯域幅を有し得る。本願明細書で用いる「広い」とは、フィルタの帯域幅が信号の帯域幅より大きいことを意味し、「狭い」とは、フィルタの帯域幅が信号の帯域幅より小さいことを意味する。本願明細書で用いる「帯域幅」とは、光学フィルタを通過可能な周波数帯域の幅（例えばＧＨｚ単位）、及び信号のクロック周波数の２倍の周波数（同じく例えばＧＨｚ単位）の両方のことである。受信された光信号１０６は、分散スロープの性能への影響を緩和するために、これらの特性を有するフィルタを用いた狭帯域フィルタリングを施されるが、逆多重化された光信号１２０ａ〜１２０ｄは、狭帯域光学フィルタリングによる性能への影響を回避するために広帯域フィルタリングを施される。本願明細書で用いる「狭帯域フィルタリング」とは、光学フィルタ１１４ａ〜１１４ｄの帯域幅が、受信された光信号１０６の帯域幅に関して狭いことであり、「広帯域フィルタリング」とは、光学フィルタ１１４ａ〜１１４ｄの帯域幅が、逆多重化された信号１２０ａ〜１２０ｄの帯域幅に関して広いことである。広帯域フィルタリング及び狭帯域フィルタリングを提供するために、各光学フィルタ１１４ａ〜１１４ｄの帯域幅は、元の光信号１０６のクロック周波数の２倍より小さく、且つ、逆多重化されたコンポーネント光信号１２０ａ〜１２０ｄのクロック周波数の２倍より大きくてもよい。
【００１８】
例示的な実施形態では、狭帯域フィルタリングは、受信された光信号１０６の帯域幅に対する光学フィルタ１１４ａ〜１１４ｄの帯域幅の比率が１以下である場合に達成され得るものであり、広帯域フィルタリングは、逆多重化された信号１２０ａ〜１２０ｄの帯域幅に対する光学フィルタ１１４ａ〜１１４ｄの帯域幅の比率が１以上である場合に達成され得る。例えば、４０Ｇｂ／ｓの信号が１０Ｇｂ／ｓの信号に逆多重化されるシステムでは、光学フィルタ１１４ａ〜１１４ｄは、約２０〜８０ＧＨｚの範囲の帯域幅を有し得る。分散スロープに起因する性能に対する高いペナルティが存在する状態では、フィルタ１１４ａ〜１１４ｄができるだけ狭い場合に、逆多重化された信号１２０ａ〜１２０ｄの狭帯域フィルタリングを行わずに、より具体的には、逆多重化された信号１２０ａ〜１２０ｄの帯域幅に対する光学フィルタ１１４ａ〜１１４ｄの帯域幅の比率が１（即ち、この例では約２０ＧＨｚ）である場合に、最良の性能が達成され得る。用いられ得る光学フィルタの一例は、グレーティングフィルタ等といった、フィルタリングのための単一の側波帯を提供できる光学バンドパスフィルタである。所望の帯域幅特性を有する任意の光学フィルタを用いてよいことが当業者には認識されよう。
【００１９】
受信器１１６ａ〜１１６ｄは、逆多重化されてフィルタリングされた信号１２２ａ〜１２２ｄを、例えば、光信号を電気信号に変換し、ビットストリームを検出する等といった当業者に公知の方法で処理する。各受信器１１６ａ〜１１６ｄは、光電変換機、決定回路等といった、光信号を処理するよう構成された電気的及び光学的コンポーネントを含み得ることが当業者には認識されよう。
【００２０】
図２〜図４には、逆多重化された光信号１２０ａ〜１２０ｄをフィルタリングすることで、性能に対する分散スロープの影響が有利に低減される様子が示されている。図２は、パルス変調から生じた搬送波２０２と分光成分又は側波帯２０４、２０６とを有する４０Ｇｂ／ｓの光学スペクトル２００のグラフである。線２１２、２１４は、分散スロープに起因する群遅延を示す。４０Ｇｂ／ｓの信号が（例えば、約８０ＧＨｚの帯域幅で）広帯域フィルタリングされた場合には、群遅延は線２１２で示され、その結果の翼状の部分２０４、２０６と搬送波２０２との間の遅延は、水平な線２２２で示される約２０ｐｓである。４０Ｇｂ／ｓの信号が（例えば、約４０ＧＨｚの帯域幅で）狭帯域フィルタリングされた場合には、群遅延は線２１４で示され、その結果の遅延は水平な線２２４で示される約５ｐｓである。このように、４０Ｇｂ／ｓの信号に狭帯域フィルタリングを施して分光帯域幅を半分に減らすと、大きな遅延を有する分光成分が消え得るので、残りの遅延が約４分の１になる。元の光信号１０６（即ち、４０Ｇｂ／ｓ）に狭帯域フィルタリングを施しても、分散スロープによって生じる大きな遅延を有する分光成分は消え得るが、このような狭帯域フィルタリングは、符号間干渉による性能ペナルティを生じ得る。
【００２１】
逆多重化の後に光学フィルタリングを行うことにより、逆多重化された信号の帯域幅に関して広く（フィルタのペナリティを回避する）、且つ元の信号の帯域幅に関して狭い（性能に対する分散スロープの影響を低減する）フィルタ帯域幅の使用が可能になる。図３は、元の光信号、逆多重化された信号及びフィルタリングされた信号に対応する光学スペクトル３０２、３０４、３０６のグラフであり、光学フィルタリングの結果を示している。光学スペクトル３０２は、４０Ｇｂ／ｓの光信号を表す。光学スペクトル３０４は、上述のように続けて逆多重化及びフィルタリングが施された対応するコンポーネント光信号を表す。光学スペクトル３０６は、逆多重化されていない４０Ｇｂ／ｓの光信号の狭帯域フィルタリングを表す。
【００２２】
図４は、非ゼロ分散シフトファイバを用いた再循環ループテストベッド上で４１００キロメートルの距離を伝搬した光信号の一例についての、光学フィルタ帯域幅の関数としてのシステム性能を示すグラフである。この例では、光信号は、約４２．６Ｇｂ／ｓのビットレートを有し、分散スロープは約３１６ｐｓ／ｎｍ２である。プロット４０２で示されるように、狭帯域フィルタリングは優れた性能を提供する。この例では、約０．２５ナノメートル（ｎｍ）の光学フィルタ帯域幅では、Ｑ係数は約１１．２ｄＢになり得、一方、約１．０ｎｍの光学フィルタ帯域幅では、Ｑ係数は約１０．４ｄＢになり得る。
【００２３】
図５は、コンポーネント光信号の光学フィルタリングの前に元の光信号を逆多重化することの利点を示すグラフである。プロット５０２は、４０Ｇｂ／ｓの光信号を４つの１０Ｇｂ／ｓ光学コンポーネント信号に逆多重化してから広帯域フィルタリングを施した際の、バックツーバック構成におけるチャネルパワーの関数としての性能を表す。プロット５０４は、４０Ｇｂ／ｓの光信号に狭帯域フィルタリングを施してから４つの１０Ｇｂ／ｓの光学コンポーネント信号に逆多重化した際の、バックツーバック構成におけるチャネルパワーの関数としての性能を表す。各プロット５０２、５０４について用いられた光学フィルタ帯域幅は約３０ＧＨｚである。図示されるように、約−１８ｄＢｍのチャネルパワーでは、４０Ｇｂ／ｓの信号に対する狭帯域フィルタリングについてのＱ係数は約１０ｄＢであり（プロット５０４）、逆多重化された信号に対する広帯域フィルタリングについては約１２ｄＢであり（プロット５０２）、これは、性能に対する狭帯域フィルタリングの影響を示している。
【００２４】
要約すれば、本発明の一実施形態による装置は、光信号を逆多重化して複数の逆多重化されたコンポーネント光信号にできる少なくとも１つの時分割光デマルチプレクサと、コンポーネント光信号の１つを光学的にフィルタリングできる少なくとも１つの光学フィルタとを含む。光学フィルタは、コンポーネント光信号の帯域幅に関して広く、且つ、元の光信号の帯域幅に関して狭い帯域幅を有する。
【００２５】
別の実施形態によれば、受信器端末は、光信号を逆多重化して複数の逆多重化されたコンポーネント光信号にできる少なくとも１つの時分割光デマルチプレクサと、コンポーネント光信号の１つを光学的にフィルタリングできる複数の光学フィルタとを含む。各光学フィルタは、コンポーネント光信号の帯域幅に関して広く、且つ、元の光信号の帯域幅に関して狭い帯域幅を有する。受信端末は、フィルタリングされたコンポーネント光信号を処理してデータストリームを生成するよう構成された複数の受信器も含む。
【００２６】
本発明の一実施形態に従った方法によれば、光信号が受信され、この光信号が時分割逆多重化されて複数のコンポーネント光信号になり、コンポーネント光信号の帯域幅に関して広く、且つ、受信した光信号の帯域幅に関して狭いフィルタ帯域幅を用いて、これらのコンポーネント光信号がフィルタリングされる。
【００２７】
本発明の上記の実施形態は可能な実施例に過ぎず、単に本発明の原理の明確な理解のために記載されたものであることが強調されるべきである。本発明の精神及び原理から実質的に逸脱することなく、本発明の上述の実施形態に対する多くの変更及び変形がなされ得る。そのような全ての変更及び変形は、本開示及び本発明の範囲に包含され、添付の特許請求の範囲によって保護されることが意図される。
【図面の簡単な説明】
【００２８】
【図１】本発明による、分散スロープの緩和を提供できる光通信システムの一実施形態のブロック図。
【図２】分散スロープに起因する群遅延を示す、高ビットレート信号の光学スペクトルのグラフ。
【図３】本発明の一実施形態による、逆多重化後の光学フィルタリングの効果を示す、高ビットレート信号並びに対応する逆多重化された信号及びフィルタリングされた信号の光学スペクトルのグラフ。
【図４】従来のファイバテストベッド上で４１００キロメートルの距離を伝搬した光信号の一例についての、光学フィルタ帯域幅の関数としてのシステム性能を示すグラフ。
【図５】逆多重化されフィルタリングされた信号とフィルタリングされ逆多重化された信号とを比較した、バックツーバック構成におけるチャネルパワーの関数としてのシステム性能を示すグラフ。
【符号の説明】
【００２９】
１００    通信システム
１０２    送信端末
１０４    受信端末
１０６    光信号
１１２    時分割光デマルチプレクサ
１１４ａ〜１１４ｄ    光学フィルタ
１１６ａ〜１１６ｄ    受信器
１２０ａ〜１２０ｄ    逆多重化されたコンポーネント光信号
１２２ａ〜１２２ｄ    逆多重化されフィルタリングされた光信号
１２４ａ〜１２４ｄ    出力データ信号
【図１】
2008526171.tif 000003
【図２】
2008526171.tif 000004
【図３】
2008526171.tif 000005
【図４】
2008526171.tif 000006
【図５】
2008526171.tif 000007
【国際調査報告】
2008526171.tif 000008